(57)【要約】【課題】再生装置の再生コンテンツの鑑賞を不必要に妨げない「車載ＡＶシステム及び割込表示制御方法」を提供する。【解決手段】制御装置９は、フロントディスプレイ５のみに、ＤＶＤプレイヤ１０の再生映像が表示されているときに、割り込み表示イベントが発生した場合には、ＤＶＤプレイヤ１０の再生を一時停止し、フロントディスプレイ５に割り込み表示ソースカメラの映像を表示する。一方、フロントディスプレイ５とリアディスプレイ６の双方に、ＤＶＤプレイヤ１０の再生映像が表示されているときに、割り込み表示イベントが発生した場合には、制御装置９は、ＤＶＤプレイヤ１０の再生を一時停止させずに、フロントディスプレイ５に割り込み表示ソースカメラの映像を表示させることにより、リアディスプレイ６のＤＶＤプレイヤ１０の再生映像の表示を継続させる。【選択図】図１
2006076324.tif 000002
【特許請求の範囲】
【請求項１】
車両に搭載される車載ＡＶシステムであって、
前記車両のドライバ用のディスプレイであるドライバディスプレイと、
前記ドライバ以外のユーザ用のディスプレイであるゲストディスプレイと、
記録媒体に記録された映像を再生出力する映像再生装置と、
映像を撮影し出力するカメラと、
前記カメラが撮影した映像の前記ドライバディスプレイへの割込表示を制御する割込表示制御手段とを有し、
前記割込表示制御手段は、前記割込表示を開始するときに、前記ドライバディスプレイのみに前記映像再生装置が再生出力している映像が表示されている場合に、前記映像再生装置の再生動作を一時停止状態に制御した上で、前記ドライバディスプレイに前記カメラの出力する映像を表示させ、前記割込表示を開始するときに、前記ドライバディスプレイとゲストディスプレイの双方に前記映像再生装置が再生出力している映像が表示されている場合に、前記映像再生装置の再生動作を継続させたまま、前記ドライバディスプレイに前記カメラの出力する映像を表示させることを特徴とする車載ＡＶシステム。
【請求項２】
請求項１記載の車載ＡＶシステムであって、
前記割込表示制御手段は、前記割込表示を開始するときに、前記ドライバディスプレイのみに、前記映像再生装置が再生出力している映像が表示されていた場合には、前記割込表示を終了する際に、前記映像再生装置の再生動作の一時停止状態を解除して映像の再生を開始させると共に、前記ドライバディスプレイに前記再生が再生出力する映像を表示させることを特徴とする車載ＡＶシステム。
【請求項３】
請求項１または２記載の車載ＡＶシステムであって、
前記カメラは、車両外部の映像を撮影し出力するカメラであって、
前記割込表示制御手段は、前記カメラが撮影した映像の前記ドライバディスプレイへの割込表示を制御することを特徴とする車載ＡＶシステム。
【請求項４】
車両に搭載される車載ＡＶシステムであって、
前記車両のドライバ用のスピーカであるドライバスピーカと、
前記ドライバ以外のユーザ用のスピーカであるゲストスピーカと、
記録媒体に記録された音声を再生出力する音声再生装置と、
前記ドライバに対する音声メッセージを前記ドライバスピーカへ割込出力する割込出力制御手段とを有し、
前記割込出力制御手段は、前記割込出力を開始するときに、前記ドライバスピーカのみに、前記音声再生装置が再生出力している音声が出力されている場合に、前記音声再生装置の再生動作を一時停止状態に制御した上で、前記ドライバスピーカに前記音声メッセージを出力し、前記割込表示を開始するときに、前記ドライバスピーカとゲストスピーカの双方に、前記音声再生装置が再生出力している音声が表示されている場合に、前記音声再生装置の再生動作を一時停止することなく、前記ドライバスピーカに前記音声メッセージを出力することを特徴とする車載ＡＶシステム。
【請求項５】
車両のドライバ用のディスプレイであるドライバディスプレイと、前記ドライバ以外のユーザ用のディスプレイであるゲストディスプレイと、記録媒体に記録された映像を再生出力する映像再生装置と、映像を撮影し出力するカメラとを備えた車載ＡＶシステムにおいて、前記カメラが撮影した映像の前記ドライバディスプレイへの割込表示を制御する割込表示制御方法であって、
前記割込表示を開始するときに、前記ドライバディスプレイのみに、前記映像再生装置が再生出力している映像が表示されているか、前記ドライバディスプレイとゲストディスプレイの双方に、前記映像再生装置が再生出力している映像が表示されているかを判定するステップと、
前記ドライバディスプレイのみに、前記映像再生装置が再生出力している映像が表示されていると判定された場合に、前記映像再生装置の再生動作を一時停止状態に制御した上で、前記ドライバディスプレイに前記カメラの出力する映像を表示させるステップと、
前記ドライバディスプレイとゲストディスプレイの双方に、前記映像再生装置が再生出力している映像が表示されていると判定された場合に、前記映像再生装置の再生動作を継続させたまま、前記ドライバディスプレイに前記カメラの出力する映像を表示させるステップとを有することを特徴とする割込表示制御方法。
【発明の詳細な説明】
【技術分野】
【０００１】
本発明は、ユーザに各種映像を提示する、自動車に搭載された車載ＡＶシステムに関するものである。
【背景技術】
【０００２】
ユーザに各種映像を提示する、自動車に搭載された車載ＡＶシステムとしては、車載ＡＶシステムの一部であるビデオ再生装置の再生映像の表示と、バックカメラの映像表示とに、同じディスプレイを共用する車載映像システムが知られている。
また、このような車載ＡＶシステムにおいて、ビデオ再生装置の再生映像をディスプレイに表示しているときに、車両の後進が開始された場合には、ディスプレイに表示する映像のバックカメラの出力映像への切り替えとビデオ再生装置の再生の一時停止の制御を行うと共に、車両の後進が終了した際に、ビデオ再生装置の再生の一時停止の解除（再生再開）の制御と、ディスプレイに表示する映像のビデオ再生装置の再生映像への切替を行う技術も知られている（たとえば、特許文献１）。
【特許文献１】特開２００４-８８１５５号公報
【発明の開示】
【発明が解決しようとする課題】
【０００３】
さて、近年では、車載ＡＶシステムが複数のディスプレイを含めて構成されることも多い。すなわち、たとえば、フロントシート搭乗者用のフロントディスプレイと、リアシート搭乗者用のリアディスプレイとを含めて車載ＡＶシステムを構成することがある。また、このような複数のディスプレイを備えた車載ＡＶシステムでは、ＡＶシステムの一部であるビデオ再生装置の映像を、複数のディスプレイの双方に表示することが可能となっていることが一般的である。
【０００４】
そして、このように複数のディスプレイを備えた車載ＡＶシステムにおいて、ＡＶシステムの一部であるビデオ再生装置の映像を、複数のディスプレイの双方に表示しているときに、車両の後進中、前記特許文献１の技術によって、ビデオ再生装置の再生動作を一時停止しバックカメラの映像を各ディスプレイに表示するようにすると、バックカメラの映像を見る必要の無い、ドライバ以外のユーザも、車両の後進中はビデオ再生装置の映像の鑑賞を中断しなくてはならないことになる。
【０００５】
そこで、本発明は、車両の各搭乗ユーザの、ＡＶシステムに含まれる再生装置の再生コンテンツの鑑賞を不必要に妨げないことを課題とする。
【課題を解決するための手段】
【０００６】
前記課題達成のために、本発明は、車両に搭載される車載ＡＶシステムを、前記車両のドライバ用のディスプレイであるドライバディスプレイと前記ドライバ以外のユーザ用のディスプレイであるゲストディスプレイと、記録媒体に記録された映像を再生出力する映像再生装置と、映像を撮影し出力するカメラと、前記カメラが撮影した映像の前記ドライバディスプレイへの割込表示を制御する割込表示制御手段とを含めて構成し、前記割込表示制御手段において、前記割込表示を開始するときに、前記ドライバディスプレイのみに、前記映像再生装置が再生出力している映像が表示されている場合に、前記映像再生装置の再生動作を一時停止状態に制御した上で、前記ドライバディスプレイに前記カメラの出力する映像を表示させ、前記割込表示を開始するときに、前記ドライバディスプレイとゲストディスプレイの双方に、前記映像再生装置が再生出力している映像が表示されている場合に、前記映像再生装置の再生動作を継続させたまま、前記ドライバディスプレイに前記カメラの出力する映像を表示させるようにしたものである。
【０００７】
このような車載ＡＶシステムによれば、ドライバディスプレイに映像再生装置の映像が表示され、ゲストディスプレイに映像再生装置の映像が表示されていないときには、割り込み表示開始時に、映像再生装置の再生が一時停止されて、ドライバディスプレイにカメラの映像が割り込み表示される。したがって、ドライバディスプレイを使用するユーザは、割り込み表示終了後に、引き続き映像再生装置の再生映像を、ドライバディスプレイのカメラの映像の表示が開始された時点の再生箇所から鑑賞することができるようになる。一方で、ドライバディスプレイとゲストディスプレイの双方に映像再生装置の映像が表示されている場合には、映像再生装置の再生動作の一時停止を行わずに、ドライバディスプレイにカメラの映像を割り込み表示する。したがって、このような場合には、ゲストディスプレイを使用するユーザの映像再生装置の再生映像の鑑賞を再生の一時停止によって妨げることなく、カメラの映像をドライバに対して割り込み表示によって提示することができるようになる。
【０００８】
ここで、このような車載ＡＶシステムは、前記割込表示制御手段において、前記割込表示を開始するときに、前記ドライバディスプレイのみに、前記映像再生装置が再生出力している映像が表示されていた場合には、前記割込表示を終了する際に、前記映像再生装置の再生動作の一時停止状態を解除して映像の再生を開始させると共に、前記ドライバディスプレイに前記再生が再生出力する映像を表示させるようすることが好ましい。
【０００９】
このようにすることにより、ドライバディスプレイに映像再生装置の映像が表示され、ゲストディスプレイに映像再生装置の映像が表示されていない場合において、割り込み表示終了後に、自動的に、ドライバディスプレイを使用するユーザに対して、映像再生装置の再生映像を、ドライバディスプレイのカメラの映像の表示が開始された時点の再生箇所から再生表示することができるようになる。
【００１０】
なお、以上の車載ＡＶシステムにおいて、前記カメラは、車両外部の映像を撮影し出力するカメラであってよく、この場合には、前記割込表示制御手段は、前記カメラが撮影した映像の前記ドライバディスプレイへの割込表示を行うものとして良い。
ところで、以上の車載ＡＶシステムの構成は、車両のドライバ用のスピーカであるドライバスピーカに、音声メッセージを割込出力する場合に応用することができる。すなわち、車載ＡＶシステムを、前記車両のドライバ用のスピーカであるドライバスピーカと、前記ドライバ以外のユーザ用のスピーカであるゲストスピーカと、記録媒体に記録された音声を再生出力する音声再生装置と、前記ドライバに対する音声メッセージを前記ドライバスピーカへ割込出力する割込出力制御手段とを含めて構成し、前記割込出力制御手段において、前記割込出力を開始するときに、前記ドライバスピーカのみに、前記音声再生装置が再生出力している音声が出力されている場合に、前記音声再生装置の再生動作を一時停止状態に制御した上で、前記ドライバスピーカに前記音声メッセージを出力し、前記割込表示を開始するときに、前記ドライバスピーカとゲストスピーカの双方に、前記音声再生装置が再生出力している音声が表示されている場合に、前記音声再生装置の再生動作を一時停止することなく、前記ドライバスピーカに前記音声メッセージを出力するようにしてもよい。
【発明の効果】
【００１１】
以上のように、本発明によれば、本発明は、車両の各搭乗ユーザの、ＡＶシステムに含まれる再生装置の再生コンテンツの鑑賞を不必要に妨げないことができる。
【発明を実施するための最良の形態】
【００１２】
以下、本発明の実施形態について説明する。
図１ａに本実施形態に係るＡＶシステムの構成を示す。
図示するように、本ＡＶシステムは、車両の左右についてそれぞれに設けられた車両側方を撮影するサイドカメラ１、車両後方を撮影するバックカメラ２、車両への障害物を検知するコーナセンサなどである障害物センサ３、車両のトランスミッションのバックギヤへのギヤシフトなどの車両の各種状態を検出する状態センサ４、フロントシートに搭乗したユーザ用のディスプレイであるフロントディスプレイ５、リアシートに搭乗したユーザ用のディスプレイであるリアディスプレイ６、フロントスピーカシステム７、リアスピーカシステム８、制御装置９、ＤＶＤビデオディスクやＤＶＤオーディオディスクやＣＤーＤＡなどを再生するＤＶＤプレイヤ１０、デジタルビデオ放送やデジタルオーディオ放送を受信するデジタル放送チューナ１１、以上各部を接続するバス１２とを備えている。
【００１３】
ここで、障害物センサ３は図１ｂに示すように車両のコーナやサイド下部などに配置され、その周辺のドライバの死角となる範囲への障害物の接近を検知する。また、フロントディスプレイ５は、たとえば、図示するようにダッシュボード上に配置され、リアディスプレイ６は、たとえば、図示するようにリアシート斜め上方の天井に釣り下げた形態で配置される。また、バックカメラ２は、車両後部に配置されて車両後方を撮影し、サイドカメラ１は、ドアミラー内部などに配置されて、車両側方下方を撮影する。また、フロントスピーカシステム７は、入力するデジタルオーディオデータが表す音声をフロントドア内などに配置されたフロントスピーカ７１に出力を行うシステムであり、リアスピーカシステム８は入力するデジタルオーディオデータが表す音声をリアドア内などに配置されたリアスピーカ８１に出力を行うシステムである。
【００１４】
そして、制御装置９は、所定の入力装置を介したユーザ操作などに応じて、各部の動作を制御する。
すなわち、ユーザ操作に応じて、フロントディスプレイ５やリアディスプレイ６の映像表示の有無や、フロントディスプレイ５やリアディスプレイ６へのＤＶＤプレイヤ１０の再生映像の表示や、フロントディスプレイ５やリアディスプレイ６へのデジタル放送チューナ１１の出力映像の表示の制御を行う。また、同様に、フロントスピーカシステム７やリアスピーカシステム８の音声出力の有無や、フロントスピーカシステム７やリアスピーカシステム８からのＤＶＤプレイヤ１０の再生音声の出力や、フロントスピーカシステム７やリアスピーカシステム８からのデジタル放送チューナ１１の出力音声の出力の制御を行う。
【００１５】
すなわち、制御装置９は、ユーザ操作に応じて、ＤＶＤプレイヤ１０の再生映像を、フロントディスプレイ５とリアディスプレイ６との二つのディスプレイの内の任意の一方のみに表示させたり、二つのディスプレイの双方に同時に表示させたり、デジタル放送チューナ１１の出力映像を、フロントディスプレイ５とリアディスプレイ６との二つのディスプレイの内の任意の一方のみに表示させたり、二つのディスプレイの双方に同時に表示させたりする。また、制御装置９は、フロントスピーカシステム７やリアスピーカシステム８に、ＤＶＤプレイヤ１０の再生音声やデジタル放送チューナ１１の出力音声の出力を行わせるが、この出力の制御は、一般的には、フロントスピーカシステム７にはフロントディスプレイ５に表示させた映像の出力元の機器（ＤＶＤプレイヤ１０またはデジタル放送チューナ１１）の出力音声を出力させ、リアスピーカシステム８にはリアディスプレイ６に表示させた映像の出力元の機器（ＤＶＤプレイヤ１０またはデジタル放送チューナ１１）の出力音声を出力させることにより行う。
【００１６】
以下、このようなＡＶシステムにおいて制御装置９が、サイドカメラ１やバックカメラ２の映像をドライバに提示するために行う割り込み表示処理について説明する。
図２に、この割り込み表示処理の手順を示す。
図示するように、この処理では、制御装置９は、割り込み表示イベントの発生を待つ（ステップ２０２）。ここで、この割り込み表示イベントには、状態センサ４による車両のトランスミッションギヤのバックギヤへのシフトの検出、障害物センサ３による障害物の検出が該当する。
【００１７】
次に、割り込み表示イベントが発生したならば、割り込み表示の映像の出力元とするカメラを割り込み表示ソースカメラとして選定する（ステップ２０４）。ここでは、発生した割り込み表示イベントが、状態センサ４による車両のトランスミッションギヤのバックギヤへのシフトの検出または障害物センサ３による車両後方の障害物の検出であれば、バックカメラ２を割り込み表示ソース装置カメラとして選定し、発生した割り込み表示イベントが、障害物センサ３による車両側方の障害物検出であれば、左右のうちの障害物が検出された側のサイドカメラ１を割り込み表示ソースカメラとして選定する。
【００１８】
そして、現在フロントディスプレイ５が使用中であるかどうか、すなわち、フロントディスプレイ５にＤＶＤプレイヤ１０やデジタル放送チューナ１１の出力映像を表示しているかどうかを調べ（ステップ２０６）、使用中であればステップ２０８に進み、使用中でなければステップ２３６に進む。
【００１９】
そして、ステップ２３６では、フロントディスプレイ５に割り込み表示ソースカメラの出力映像を表示する。そして、割り込み表示解除イベントの発生を待つ（ステップ２３８）。ここで、最後に発生した割り込み表示イベントが、状態センサ４による車両のトランスミッションギヤのバックギヤへのシフトの検出であれば、状態センサ４による車両のトランスミッションギヤのバックギヤ以外へのシフトの検出が、割り込み表示解除イベントとなる。また、最後に発生した割り込み表示イベントが、最後に発生した割り込み表示イベントが障害物センサ３による障害物の検出であれば、障害物センサ３による障害物の無検出の発生が割り込み表示解除イベントとなる。
【００２０】
そして、割り込み表示解除イベントが発生したならば（ステップ２３８）、フロントディスプレイ５の割り込み表示ソースカメラの出力映像の表示を停止し（ステップ２４０）、ステップ２０２に戻り、次の割り込み表示イベントの発生を待つ。
さて、ステップ２０６に戻り、ステップ２０６において、フロントディスプレイ５が使用中であると判定された場合には、フロントディスプレイ５に表示している映像の出力元の機器（ＤＶＤプレイヤ１０またはデジタル放送チューナ１１）の識別情報をフロントディスプレイソース機器の識別情報として保持する（ステップ２０８）。そして、リアディスプレイ６が使用中であるかどうかを調べ（ステップ２１０）、使用中でなければステップ２２２に進む。一方、リアディスプレイ６が使用中であれば、フロントディスプレイソース機器と、リアディスプレイ６に表示している映像の出力元の機器（ＤＶＤプレイヤ１０またはデジタル放送チューナ１１）であるリアディスプレイソース機器が同じ機器であるかどうかを調べ、同じでなければステップ２２２に進み、同じであればステップ２１４に進む。
【００２１】
さて、ステップ２１４では、フロントディスプレイ５の表示をフロントディスプレイソース機器の出力映像の表示から、割り込み表示ソースカメラの出力映像の表示に切り替える。そして、割り込み表示解除イベントの発生を待つ（ステップ２１６）。そして、割り込み表示解除イベントが発生したならば、フロントディスプレイ５の割り込み表示ソースカメラの出力映像の表示を停止する（ステップ２１８）。そして、フロントディスプレイ５の表示を割り込み表示ソースカメラの出力映像の表示から、フロントディスプレイソース機器の出力映像の表示に復帰し（ステップ２２０）、ステップ２０２に戻り、次の割り込み表示イベントの発生を待つ。
【００２２】
一方、フロントディスプレイ５が使用中でリアディスプレイ６が使用中でない場合（ステップ２０６、２１０）と、フロントディスプレイ５とリアディスプレイ６の双方が使用中であって（ステップ２０６、２１０）、フロントディスプレイソース機器とリアディスプレイソース機器が同じ機器である場合（ステップ２１２）に行われるステップ２２２では、フロントディスプレイソース機器がポーズ動作可能な機器、すなわち、再生一時停止動作が可能な機器であるかどうかを調べる。ここで、本実施形態ではＤＶＤプレイヤ１０がポーズ動作が可能な機器となり、デジタル放送チューナ１１はポーズ動作が不可能な機器となる。
【００２３】
そして、フロントディスプレイソース機器がポーズ動作可能な機器でなければ（ステップ２２２）、ステップ２１４に進んで、フロントディスプレイ５の表示をフロントディスプレイソース機器の出力映像の表示から、割り込み表示ソースカメラの出力映像の表示に切り替える。そして、割り込み表示解除イベントの発生を待つ（ステップ２１６）。そして、割り込み表示解除イベントが発生したならば、フロントディスプレイ５の割り込み表示ソースカメラの出力映像の表示を停止する（ステップ２１８）。そして、フロントディスプレイ５の表示を割り込み表示ソースカメラの出力映像の表示から、フロントディスプレイソース機器の出力映像の表示に復帰し（ステップ２２０）、ステップ２０２に戻り、次の割り込み表示イベントの発生を待つ。
【００２４】
一方、ステップ２２２において、フロントディスプレイソース機器がポーズ動作可能な機器であると判定された場合には、まず、フロントディスプレイソース機器をポーズ状態すなわち再生一時停止状態に制御する（ステップ２２４）。そして、フロントディスプレイ５の表示をフロントディスプレイソース機器の出力映像の表示から、割り込み表示ソースカメラの出力映像の表示に切り替え（ステップ２２６）、割り込み表示解除イベントの発生を待つ（ステップ２２８）。そして、割り込み表示解除イベントが発生したならば、フロントディスプレイ５の割り込み表示ソースカメラの出力映像の表示を停止する（ステップ２３０）。そして、フロントディスプレイソース機器のポーズ状態を解除して再生を再開させる（ステップ２３２）と共に、フロントディスプレイ５の表示を割り込み表示ソースカメラの出力映像の表示から、フロントディスプレイソース機器の出力映像の表示に復帰し（ステップ２３４）、ステップ２０２に戻り、次の割り込み表示イベントの発生を待つ。
【００２５】
以上、制御装置９が行う割り込み表示処理について説明した。
このような割り込み表示処理によれば、たとえば、図３ａに示すように、フロントディスプレイ５にＤＶＤプレイヤ１０の再生映像が表示され、リアディスプレイ６にデジタル放送チューナ１１の出力映像が表示されているときに、割り込み表示イベントが発生した場合には、ＤＶＤプレイヤ１０の再生が一時停止されて、フロントディスプレイ５に割り込み表示ソースカメラの映像が表示される。そして、その後、割り込み表示解除イベントが発生すると、ＤＶＤプレイヤ１０の一時再生停止が解除されて再生が再開されると共に、フロントディスプレイ５の表示がＤＶＤプレイヤ１０の再生映像の表示に復帰する。一方で、この期間中、リアディスプレイ６には、デジタル放送チューナ１１の出力映像が表示され続ける。
【００２６】
したがって、リアディスプレイ６を使用するユーザのデジタル放送チューナ１１の出力映像の鑑賞を妨げることなく、必要に応じて、ドライバにバックカメラ２やサイドカメラ１などの割り込み表示ソースカメラの映像を提示することができる。また、この割り込み表示ソースカメラの映像をフロントディスプレイ５に表示している期間中に、それまでフロントディスプレイ５に映像を表示していたＤＶＤプレイヤ１０の再生を一時的に停止すると共に当該期間経過時にＤＶＤプレイヤ１０の再生の再開とフロントディスプレイ５の表示のＤＶＤプレイヤ１０の再生映像の表示への復帰を自動的に行うので、フロントディスプレイ５の使用者は、割り込み表示ソースカメラの映像の表示終了後に、引き続きＤＶＤプレイヤ１０の映像を、フロントディスプレイ５への表示がＤＶＤプレイヤ１０の再生映像の表示から割り込み表示ソースカメラの映像の表示に切り替わった時点の再生箇所から鑑賞することができるようになる。
【００２７】
なお、リアディスプレイ６が使用されていない場合の、ＤＶＤプレイヤ１０とフロントディスプレイ５の動作も、図３ａに示すものと同様となる。
一方、図３ｂに示すように、フロントディスプレイ５とリアディスプレイ６の双方にＤＶＤプレイヤ１０の再生映像が表示されているときに、割り込み表示イベントが発生した場合には、フロントディスプレイ５に割り込み表示ソースカメラの映像が表示される。そして、その後、割り込み表示解除イベントが発生すると、フロントディスプレイ５の表示がＤＶＤプレイヤ１０の再生映像の表示に復帰する。一方で、この期間中、ＤＶＤプレイヤ１０の再生と、リアディスプレイ６のＤＶＤプレイヤ１０の再生映像の表示は継続される。
【００２８】
したがって、リアディスプレイ６を使用するユーザのＤＶＤプレイヤ１０の再生映像の鑑賞を妨げることなく、必要に応じて、ドライバにバックカメラ２やサイドカメラ１などの割り込み表示ソースカメラの映像を提示することができる。
以上、本発明の実施形態について説明した。
ところで、以上では、フロントディスプレイ５とリアディスプレイ６との二つのディスプレイを設ける場合について説明したが、本実施形態は、ドライバが使用するディスプレイと、ドライバが使用せずその他のユーザが使用する１または複数のディスプレイを設ける場合についても同様に適用可能である。すなわち、この場合には、ドライバが使用するディスプレイをフロントディスプレイ５として、ドライバが使用せず他のユーザが使用するディスプレイをリアディスプレイ６と見なして以上の処理を適用すればよい。ただし、この場合において前述した割込表示処理のステップ２１２では、ドライバが使用するディスプレイが表示している映像の出力元の機器と同じ出力元の機器の映像を表示している他のディスプレイが一つでも存在する場合には、その判定をＹＥＳとする。
【００２９】
また、以上では、バックカメラ２やサイドカメラ１の映像をドライバ用のディスプレイに割込表示する場合について示したが、本実施形態は、たとえば警告音声などの音声を、ドライバ用のスピーカから割込出力する場合についても同様に適用することができる。すなわち、たとえば、制御装置９が、障害物センサ３が障害物を検出したときに、その旨を警告する音声をフロントスピーカ７１に出力するようにしてよい。また、この際に、フロントスピーカ７１のみにＤＶＤ再生装置の再生音声（たとえば、ＣＤ−ＤＡに記録された楽曲再生音）を出力している場合には、ＤＶＤ再生装置の再生を一時停止して警告音声をフロントスピーカ７１に出力した上で、ＤＶＤ再生装置の再生とフロントスピーカ７１へのＤＶＤ再生装置の再生音声の出力を再開するようにし、フロントスピーカ７１とリアスピーカ８１の双方に、ＤＶＤ再生装置の再生音声を出力している場合には、ＤＶＤ再生装置の再生を停止することなく、フロントスピーカ７１からＤＶＤ再生装置の再生音声に代えて警告音声を出力した上で、フロントスピーカ７１へのＤＶＤ再生装置の再生音声の出力を再開するようにしてよい。
【図面の簡単な説明】
【００３０】
【図１】本発明の実施形態に係るＡＶシステムの構成と配置を示すブロック図である。
【図２】本発明の実施形態に係る割り込み表示処理を示すフローチャートである。
【図３】本発明の実施形態に係るＡＶシステムの動作例を示す図である。
【符号の説明】
【００３１】
１…サイドカメラ、２…バックカメラ、３…障害物センサ、４…状態センサ、５…フロントディスプレイ、６…リアディスプレイ、７…フロントスピーカシステム、８…リアスピーカシステム、９…制御装置、１０…ＤＶＤプレイヤ、１１…デジタル放送チューナ、１２…バス、７１…フロントスピーカ、８１…リアスピーカ。
【図２】
2006076324.tif 000003
【図３】
2006076324.tif 000004
【図１】
2006076324.tif 000005